【手続補正書】
【提出日】平成16年10月26日(2004.10.26)
【手続補正１】
【補正対象書類名】明細書
【補正対象項目名】発明の名称
【補正方法】変更
【補正の内容】
【発明の名称】ＡＶ用光ディスク、その記録方法および再生方法
【手続補正２】
【補正対象書類名】明細書
【補正対象項目名】特許請求の範囲
【補正方法】変更
【補正の内容】
【特許請求の範囲】
【請求項１】
記録の最小単位であるセクタの複数個でＥＣＣブロックが構成され、
データの記録中に検出された欠陥ブロックに対しては、交替領域にその代替ブロックを割り当てるとともに、当該欠陥ブロックとその代替ブロックの位置情報が欠陥管理領域に登録される光ディスクにおいて、
ユーザ記録領域にＡＶデータを格納するＡＶコンテナが設けられて、その中にＡＶデータが記録され、
上記ＡＶコンテナにＡＶデータを記録しているときに欠陥ブロックが検出されたときは、上記ＡＶコンテナの検出された欠陥ブロックの次のブロックに記録され、
上記ＡＶデータの不連続箇所を登録した第１のテーブルと、
上記ＡＶデータの先頭の位置およびそのＡＶデータのサイズを登録した第２のテーブルとを備えたことを特徴とするＡＶ用光ディスク。
【請求項２】
ＡＶデータの不連続箇所およびＡＶデータの先頭の位置を示すアドレスとして、ＥＣＣブロックの最初のセクタのアドレスのみを用いることとし、さらにＡＶコンテナの先頭からの相対位置で示したことを特徴とする請求項１記載のＡＶ用光ディスク。
【請求項３】
記録の最小単位であるセクタの複数個でＥＣＣブロックが構成され、
データの記録中に検出された欠陥ブロックに対しては、交替領域にその代替ブロックを割り当てるとともに、当該欠陥ブロックとその代替ブロックの位置情報が欠陥管理領域に登録される光ディスクの記録方法において、
ユーザ記録領域にＡＶデータを格納するＡＶコンテナを設けて、その中にＡＶデータを記録し、
上記ＡＶコンテナにＡＶデータを記録しているときに欠陥ブロックが検出されたときは、上記ＡＶコンテナの検出された欠陥ブロックの次のブロックに記録し、
上記ＡＶデータの不連続箇所を第１のテーブルに登録し、
上記ＡＶデータの先頭の位置およびそのＡＶデータのサイズを第２のテーブルに登録することを特徴とするＡＶデータの記録方法。
【請求項４】
ＡＶデータの記録中に欠陥ＥＣＣブロックを発見しなかったときは、そのＡＶデータの記録開始位置と記録終了位置を登録し、
ＡＶデータの記録中に欠陥ＥＣＣブロックを検出したときは、次の記録可能なＥＣＣブロックにＡＶデータを記録するとともに、その欠陥ブロックの位置情報、記録開始位置および記録終了位置を登録することを特徴とする請求項３記載のＡＶデータの記録方法。
【請求項５】
ＡＶデータの記録中に欠陥ＥＣＣブロックを検出したときは、次の記録可能なＥＣＣブロックにＡＶデータを記録するとともに、そのＡＶデータが２つ以上の領域に分断されて記録されているときはその２つ以上の領域の開始位置と終了位置を登録することを特徴とする請求項４記載のＡＶデータの記録方法。
【請求項６】
請求項１又は２記載のＡＶ用光ディスクからＡＶデータを再生するＡＶデータの再生方法であって、
上記第１のテーブルから上記ＡＶデータの不連続箇所を読み出し、
上記第２のテーブルから上記ＡＶデータの先頭の位置およびそのＡＶデータのサイズを読み出し、
読み出された上記ＡＶデータの不連続箇所、上記ＡＶデータの先頭の位置およびそのＡＶデータのサイズに基づいて、ＡＶデータを再生することを特徴とするＡＶデータの再生方法。
【手続補正３】
【補正対象書類名】明細書
【補正対象項目名】００１７
【補正方法】変更
【補正の内容】
【００１７】
【課題を解決するための手段】
この発明に係るＡＶ用光ディスクは、記録の最小単位であるセクタの複数個でＥＣＣブロックが構成され、データの記録中に検出された欠陥ブロックに対しては、交替領域にその代替ブロックを割り当てるとともに、当該欠陥ブロックとその代替ブロックの位置情報が欠陥管理領域に登録される光ディスクにおいて、ユーザ記録領域にＡＶデータを格納するＡＶコンテナが設けられて、その中にＡＶデータが記録され、上記ＡＶコンテナにＡＶデータを記録しているときに欠陥ブロックが検出されたときは、上記ＡＶコンテナの検出された欠陥ブロックの次のブロックに記録され、上記ＡＶデータの不連続箇所を登録した第１のテーブルと、上記ＡＶデータの先頭の位置およびそのＡＶデータのサイズを登録した第２のテーブルとを備えたものである。
【手続補正４】
【補正対象書類名】明細書
【補正対象項目名】００１９
【補正方法】変更
【補正の内容】
【００１９】
この発明に係るＡＶ用光ディスク記録方法は、記録の最小単位であるセクタの複数個でＥＣＣブロックが構成され、データの記録中に検出された欠陥ブロックに対しては、交替領域にその代替ブロックを割り当てるとともに、当該欠陥ブロックとその代替ブロックの位置情報が欠陥管理領域に登録される光ディスクの記録方法において、ユーザ記録領域にＡＶデータを格納するＡＶコンテナを設けて、その中にＡＶデータを記録し、上記ＡＶコンテナにＡＶデータを記録しているときに欠陥ブロックが検出されたときは、上記ＡＶコンテナの検出された欠陥ブロックの次のブロックに記録し、上記ＡＶデータの不連続箇所を第１のテーブルに登録し、上記ＡＶデータの先頭の位置およびそのＡＶデータのサイズを第２のテーブルに登録するものである。
【手続補正５】
【補正対象書類名】明細書
【補正対象項目名】００２０
【補正方法】変更
【補正の内容】
【００２０】
また、ＡＶデータの記録中に欠陥ＥＣＣブロックを発見しなかったときは、そのＡＶデータの記録開始位置と記録終了位置を登録し、ＡＶデータの記録中に欠陥ＥＣＣブロックを検出したときは、次の記録可能なＥＣＣブロックにＡＶデータを記録するとともに、その欠陥ブロックの位置情報、記録開始位置および記録終了位置を登録するものである。
【手続補正６】
【補正対象書類名】明細書
【補正対象項目名】００２１
【補正方法】変更
【補正の内容】
【００２１】
また、ＡＶデータの記録中に欠陥ＥＣＣブロックを検出したときは、次の記録可能なＥＣＣブロックにＡＶデータを記録するとともに、そのＡＶデータが２つ以上の領域に分断されて記録されているときはその２つ以上の領域の開始位置と終了位置を登録するものである。
この発明に係るＡＶデータの再生方法は、上記のＡＶ用光ディスクからＡＶデータを再生するＡＶデータの再生方法であって、上記第１のテーブルから上記ＡＶデータの不連続箇所を読み出し、上記第２のテーブルから上記ＡＶデータの先頭の位置およびそのＡＶデータのサイズを読み出し、読み出された上記ＡＶデータの不連続箇所、上記ＡＶデータの先頭の位置およびそのＡＶデータのサイズに基づいて、ＡＶデータを再生するものである。
【手続補正７】
【補正対象書類名】明細書
【補正対象項目名】００５２
【補正方法】変更
【補正の内容】
【００５２】
この発明によるＡＶ用光ディスクにおいては、記録の最小単位であるセクタの複数個でＥＣＣブロックが構成され、データの記録中に検出された欠陥ブロックに対しては、交替領域にその代替ブロックを割り当てるとともに、当該欠陥ブロックとその代替ブロックの位置情報が欠陥管理領域に登録される光ディスクにおいて、ユーザ記録領域にＡＶデータを格納するＡＶコンテナが設けられて、その中にＡＶデータが記録され、上記ＡＶコンテナにＡＶデータを記録しているときに欠陥ブロックが検出されたときは、上記ＡＶコンテナの検出された欠陥ブロックの次のブロックに記録され、上記ＡＶデータの不連続箇所を登録した第１のテーブルと、上記ＡＶデータの先頭の位置およびそのＡＶデータのサイズを登録した第２のテーブルとを備えたので、実時間でＡＶデータをディスク上に記録することが可能となる。